(57)【要約】【課題】  開封用摘み部より、開封用切れ目線に沿って広い開口部が形成されるように簡単に開封でき内容物を取り出せる易開封性包装袋を提供することである。【解決手段】  矩形状の基体を内層同士を対向させて、対向する一組の両端縁に側端縁熱接着部と該側端縁熱接着部に直交する一つの端縁に端縁熱接着部を有すると共に前記端縁熱接着部側に対して前記側端縁熱接着部を跨ぎ屈曲部を有する略への字状の隔壁熱接着部が設けられ、前記側端縁熱接着部及び前記隔壁熱接着部で剥離可能に熱接着された包装袋であって、前記隔壁熱接着部の屈曲部の前記端縁熱接着部側領域に一方の面を構成する前記基体を貫通する切れ目線が形成されて開封用摘み部が設けられ、該開封用摘み部の前記切れ目線の両端から前記隔壁熱接着部に沿って、前記基体を貫通する開封用切れ目線が設けられ、前記開封用摘み部より前記開封用切れ目線に沿って開封する易開封性包装袋である。【選択図】        図４
2008150111.tif 000002
【特許請求の範囲】
【請求項１】
基材層と、熱接着性樹脂からなる内層とを少なくとも備えた矩形状の基体を前記内層同士を対向させて、対向する一組の両端縁に側端縁熱接着部と該側端縁熱接着部に直交する一つの端縁に端縁熱接着部を有すると共に前記端縁熱接着部側に対して前記側端縁熱接着部を跨ぎ屈曲部を有する略への字状の隔壁熱接着部が設けられ、前記側端縁熱接着部及び前記隔壁熱接着部で剥離可能に熱接着された包装袋であって、前記屈曲部の前記端縁熱接着部側領域に前記屈曲部を囲み、一方の面を構成する前記基体を貫通する切れ目線が形成されて開封用摘み部が設けられ、該開封用摘み部の前記切れ目線の両端又はその近傍から前記隔壁熱接着部若しくはその外縁周辺の未シール部分に前記隔壁熱接着部に沿って、一方の面を構成する前記基体を貫通する開封用切れ目線が設けられ、前記開封用摘み部より前記開封用切れ目線に沿って開封することを特徴とする易開封性包装袋。
【請求項２】
基材層と、熱接着性樹脂からなる内層とを少なくとも備えた表側面シート、裏側面シート及び底面シートからなり、該表側面シート及び裏側面シートの前記内層面同士を対向させて配置し、該シートの下部の間に前記内層面を外にして中央で山折りした前記底面シートを挿入して前記表裏側面シートの前記内層面とそれらに対向する山折りした前記底面シートの外面間の周縁を熱接着して底部を形成すると共に、前記表裏側面シートの対向する一組の両端縁に側端縁熱接着部と底部に対向する端縁に端縁熱接着部を備えた自立性の包装袋において、前記底部に前記底部の下端側に対して前記側端縁熱接着部を跨ぎ剥離可能に熱接着された屈曲部を有する略への字状の隔壁熱接着部が設けられ、前記屈曲部の前記底部下端側領域に前記屈曲部を囲み、前記表裏側面シートのいずれか一方又は両方に前記表裏側面シートを貫通する切れ目線が形成されて開封用摘み部が設けられ、該開封用摘み部の前記切れ目線の両端又はその近傍から前記隔壁熱接着部若しくはその外縁周辺の未シール部分に前記隔壁熱接着部に沿って、前記表裏側面シートのいずれか一方又は両方に前記表裏側面シートを貫通する開封用切れ目線が設けられ、前記開封用摘み部より前記開封用切れ目線に沿って開封することを特徴とする易開封性包装袋。
【請求項３】
前記開封用切れ目線が、前記基体を貫通しないハーフカットからなることを特徴とする請求項１又は２に記載の易開封性包装袋。
【請求項４】
前記開封用切れ目線が、間欠した切れ目からなり、該切れ目が、前記隔壁熱接着部と平行方向に延びた直線部と、該直線部の前記開封用摘み部の方向に対して後端側より前記側端縁熱接着部に向かい前記直線部に対して鈍角で斜めに延びた斜線部とからなり、一番目の前記切れ目の先端が前記開封用摘み部の前記切れ目線の両端と連接して形成されているか又はその近傍に形成されていることを特徴とする請求項１又は２に記載の易開封性包装袋。
【請求項５】
略への字状の前記隔壁熱接着部の前記屈曲部が前記端縁熱接着部又は前記底部下端に平行な所定長さの直線部分を有し、該直線部分に前記端縁熱接着部側又は前記底部下端側に突出した１ケないしは複数の突出部を有する山型シール部を設けたことを特徴とする請求項１〜４のいずれかに記載の易開封性包装袋。
【請求項６】
略への字状の前記隔壁熱接着部の前記屈曲部が前記端縁熱接着部側又は前記底部下端側に突出した少なくとも１つの烏口状のシール部を設けたことを特徴とする請求項１〜４のいずれかに記載の易開封性包装袋。
【請求項７】
前記開封用切れ目線の前記切れ目の後端と、次の切れ目の直線部の先端とが、開封方向に対して一致するか若しくは少なくとも重なって形成されていることを特徴とする請求項４〜６のいずれかに記載の易開封性包装袋。
【請求項８】
前記ハーフカットからなる前記開封用切れ目線の前記開封用摘み部側の先端がＵ字状に形成されていることを特徴とする請求項３、５又は６のいずれかに記載の易開封性包装袋。
【請求項９】
前記開封用切れ目線を形成する一番目の前記切れ目の前記直線部の先端がＵ字状に形成されていることを特徴とする請求項４〜７のいずれかに記載の易開封性包装袋。
【請求項１０】
前記開封用摘み部と対向する前記端縁熱接着部又は前記底部下端に形成された下端縁熱接着部より前記開封用摘み部を囲む突出シール部を設けたことを特徴とする請求項１〜９のいずれかに記載の易開封性包装袋。
【請求項１１】
前記端縁熱接着部と前記側端縁熱接着部と前記隔壁熱接着部と前記突出シール部とで囲まれた未シール領域、又は前記底部を形成する前記下端縁熱接着部と前記側端縁熱接着部と前記隔壁熱接着部と前記突出シール部とで囲まれた未シール領域にポイントシール部を設けたことを特徴とする請求項１〜１０のいずれかに記載の易開封性包装袋。
【発明の詳細な説明】
【技術分野】
【０００１】
本発明は、固形、粒体状の菓子、食品、医薬品、又は化粧品等を収容する包装袋に関し、詳しくは、開封用摘み部より、開封用切れ目線に沿って広い開口部が形成されるように開封できる易開封性包装袋に関する。
【背景技術】
【０００２】
従来より、スナック菓子、スナック食品、あられ、ビスケット、おつまみ等は、四方シール、三方シール、ガセットタイプあるいは底部にガセット部を備えた自立性タイプ等の包装袋に直接収容されて販売されている。
【０００３】
これらの包装袋は、開封を容易にするために、Ｉ字状、Ｖ字状や亀甲状等のノッチが開封開始手段として設けられている（例えば、特許文献１参照）。また、開封性を向上させるために直線易引裂き性フィルムを積層したプラスチックフィルムに上記開封手段を併用したり、さらには上記開封手段と連接して開封用切れ目を設けた包装袋が開示されている（例えば、特許文献２参照）。しかしながら、これらの包装袋は、端縁が開封される構成となっており、例えば、ポテトチップ等を収容した包装袋の場合、ポテトチップ等が消費されて少なくなってくると包装袋の底を覗き込むようにして取出さなければならず、取り出しにくいという不便さや、手を深く入れるために、ポテトチップを摘む手指以外に手の甲や掌を汚すという問題がある。
【０００４】
また、センターシール部と両端シール部を有し、センターシール部と対向する他の面に、切離し用切込み部を設けた取り出し口が形成され、該切込み部を覆って気密性フィルムよりなる開閉蓋が設けられた四角形の化粧料封入袋が知られている（例えば、特許文献３参照）。該封入袋は開口部が袋の中央に設けられており、内容物が取出し易いものとなっている。しかし、切込み部を覆う気密性フィルムの固定時にフィルム又は封入袋を構成するシート材にシワが入る場合があり、その場合には十分な気密性が得られず、例えば、煎餅やビスケット等の吸湿性に富んだ菓子であれば菓子が吸湿して味覚が著しく低下する場合がある。また、気密性フィルムが別パーツとして必要となるために、コストアップになるという問題がある。
【特許文献１】実用新案登録第３００１２２１号公報
【特許文献２】特開平１０−１６７３１７号公報
【特許文献３】特公平２−３０９４８号公報
【発明の開示】
【発明が解決しようとする課題】
【０００５】
そこで本発明は、上記問題を解決すべくなされたものであり、開封用摘み部より、開封用切れ目線に沿って広い開口部が形成されるように簡単に開封でき内容物を取り出せる易開封性包装袋を提供することである。
【課題を解決するための手段】
【０００６】
本発明は、上記課題を達成するために、請求項１記載の本発明は、基材層と、熱接着性樹脂からなる内層とを少なくとも備えた矩形状の基体を前記内層同士を対向させて、対向する一組の両端縁に側端縁熱接着部と該側端縁熱接着部に直交する一つの端縁に端縁熱接着部を有すると共に前記端縁熱接着部側に対して前記側端縁熱接着部を跨ぎ屈曲部を有する略への字状の隔壁熱接着部が設けられ、前記側端縁熱接着部及び前記隔壁熱接着部で剥離可能に熱接着された包装袋であって、前記屈曲部の前記端縁熱接着部側領域に前記屈曲部を囲み、一方の面を構成する前記基体を貫通する切れ目線が形成されて開封用摘み部が設けられ、該開封用摘み部の前記切れ目線の両端又はその近傍から前記隔壁熱接着部若しくはその外縁周辺の未シール部分に前記隔壁熱接着部に沿って、一方の面を構成する前記基体を貫通する開封用切れ目線が設けられ、前記開封用摘み部より前記開封用切れ目線に沿って開封することを特徴とする易開封性包装袋である。
【０００７】
また、請求項２記載の本発明は、基材層と、熱接着性樹脂からなる内層とを少なくとも備えた表側面シート、裏側面シート及び底面シートからなり、該表側面シート及び裏側面シートの前記内層面同士を対向させて配置し、該シートの下部の間に前記内層面を外にして中央で山折りした前記底面シートを挿入して前記表裏側面シートの前記内層面とそれらに対向する山折りした前記底面シートの外面間の周縁を熱接着して底部を形成すると共に、前記表裏側面シートの対向する一組の両端縁に側端縁熱接着部と底部に対向する端縁に端縁熱接着部を備えた自立性の包装袋において、前記底部に前記底部の下端側に対して前記側端縁熱接着部を跨ぎ剥離可能に熱接着された屈曲部を有する略への字状の隔壁熱接着部が設けられ、前記屈曲部の前記底部下端側領域に前記屈曲部を囲み、前記表裏側面シートのいずれか一方又は両方に前記表裏側面シートを貫通する切れ目線が形成されて開封用摘み部が設けられ、該開封用摘み部の前記切れ目線の両端又はその近傍から前記隔壁熱接着部若しくはその外縁周辺の未シール部分に前記隔壁熱接着部に沿って、前記表裏側面シートのいずれか一方又は両方に前記表裏側面シートを貫通する開封用切れ目線が設けられ、前記開封用摘み部より前記開封用切れ目線に沿って開封することを特徴とする易開封性包装袋である。
【０００８】
また、請求項３記載の本発明は、請求項１又は２記載の易開封性包装袋において、前記開封用切れ目線が、前記基体を貫通しないハーフカットからなることを特徴とするものである。
【０００９】
また、請求項４記載の本発明は、請求項１又は２記載の易開封性包装袋において、前記開封用切れ目線が、間欠した切れ目からなり、該切れ目が、前記隔壁熱接着部と平行方向に延びた直線部と、該直線部の前記開封用摘み部の方向に対して後端側より前記側端縁熱接着部に向かい前記直線部に対して鈍角で斜めに延びた斜線部とからなり、一番目の前記切れ目の先端が前記開封用摘み部の前記切れ目線の両端と連接して形成されているか又はその近傍に形成されていることを特徴とするものである。
【００１０】
また、請求項５記載の本発明は、請求項１〜４のいずれかに記載の易開封性包装袋において、略への字状の前記隔壁熱接着部の前記屈曲部が前記端縁熱接着部又は前記底部下端に平行な所定長さの直線部分を有し、該直線部分に前記端縁熱接着部側又は前記底部下端側に突出した１ケないしは複数の突出部を有する山型シール部を設けたことを特徴とするものである。
【００１１】
また、請求項６記載の本発明は、請求項１〜４のいずれかに記載の易開封性包装袋において、略への字状の前記隔壁熱接着部の前記屈曲部が前記端縁熱接着部側又は前記底部下端側に突出した少なくとも１つの烏口状のシール部を設けたことを特徴とするものである。
【００１２】
また、請求項７記載の本発明は、請求項４〜６のいずれかに記載の易開封性包装袋において、前記開封用切れ目線の前記切れ目の後端と、次の切れ目の直線部の先端とが、開封方向に対して一致するか若しくは少なくとも重なって形成されていることを特徴とするものである。
【００１３】
また、請求項８記載の本発明は、請求項３、５又は６のいずれかに記載の易開封性包装袋において、前記ハーフカットからなる前記開封用切れ目線の前記開封用摘み部側の先端がＵ字状に形成されていることを特徴とするものである。
【００１４】
また、請求項９記載の本発明は、請求項４〜７のいずれかに記載の易開封性包装袋において、前記開封用切れ目線を形成する一番目の前記切れ目の前記直線部の先端がＵ字状に形成されていることを特徴とするものである。
【００１５】
また、請求項１０記載の本発明は、請求項１〜９のいずれかに記載の易開封性包装袋において、前記開封用摘み部と対向する前記端縁熱接着部又は前記底部下端に形成された下端縁熱接着部より前記開封用摘み部を囲む突出シール部を設けたことを特徴とするものである。
【００１６】
また、請求項１１記載の本発明は、請求項１〜１０のいずれかに記載の易開封性包装袋において、前記端縁熱接着部と前記側端縁熱接着部と前記隔壁熱接着部と前記突出シール部とで囲まれた未シール領域、又は前記底部を形成する前記下端縁熱接着部と前記側端縁熱接着部と前記隔壁熱接着部と前記突出シール部とで囲まれた未シール領域にポイントシール部を設けたことを特徴とするものである。
【発明の効果】
【００１７】
請求項１記載の易開封性包装袋は、剥離可能に熱接着された屈曲部を有する略への字状の隔壁熱接着部と該隔壁熱接着部若しくはその外縁周辺の未シール部分に基体を貫通する開封用切れ目線が設けられ、隔壁熱接着部の屈曲部を囲み、一方の面を構成する基体を貫通する切れ目線が形成されて開封用摘み部が設けられており、容易に開封用摘み部を手指で摘み、開封用切れ目線に沿って広い開口部が形成されるように簡単に開封することができ、内容物が取り出しやすく、内容物が少なくなっても手の甲や掌を汚すことなく、内容物を取出すことができる。また、開封用摘み部の切れ目線及び開封用切れ目線は隔壁熱接着部若しくはその外縁周辺の未シール部に設けられており、隔壁熱接着部と側端縁熱接着部と端縁熱接着部により、密封されて易開封性包装袋のバリア性、防湿性が確保され、収容される内容物の吸湿防止等が図れる。
【００１８】
請求項２記載の易開封性包装袋は、底部に剥離可能に熱接着された屈曲部を有する略への字状の隔壁熱接着部が設けられ、屈曲部の底部下端側領域に屈曲部を囲み、表裏側面シートのいずれか一方又は両方に表裏側面シートを貫通する切れ目線が形成されて開封用摘み部が設けられており、容易に開封用摘み部を手指で摘み、開封用切れ目線に沿って簡単に開封することができる。また、開封用切れ目線は底部に設けられた隔壁熱接着部若しくはその外縁周辺の未シール部分に隔壁熱接着部に沿って、設けられており、易開封性包装袋のバリア性、防湿性は、隔壁熱接着部と側端縁熱接着部と端縁熱接着部により、密封されて確保されるために、収容される内容物の吸湿防止等が図れる。
【００１９】
また、請求項３記載の易開封性包装袋は、開封用切れ目線が、基体を貫通しないハーフカットからなる構成とすることにより、開封用摘み部より開封すると一方の面を構成する基体が、開封用切れ目線から外れることなく開封でき、しかも開封された開封用切れ目線が美麗である。また、流通時の振動や衝撃により開封用切れ目線での基体の破れ防止や悪戯防止になる。
【００２０】
また、請求項４記載の易開封性包装袋は、開封用切れ目線が、間欠した切れ目からなり、切れ目が、隔壁熱接着部と平行方向に延びた直線部と、直線部の開封用摘み部の方向に対して後端側より側端縁熱接着部に向かい直線部に対して鈍角で斜めに延びた斜線部とからなり、一番目の切れ目の先端が開封用摘み部の切れ目線の両端と連接して形成されているか又はその近傍に形成されており、開封用摘み部より開封すると一方の面を構成する基体が、開封用切れ目線から外れることなく開封できる効果がある。
【００２１】
また、請求項５記載の易開封性包装袋は、略への字状の隔壁熱接着部の屈曲部に端縁熱接着部側又は底部下端に平行な所定長さの直線部を有し、直線部分に端縁熱接着部又は底部下端側に突出した１ケないしは複数の突出部を有する山型シール部を設けており、開封初期に必要な引張り力を少なくすることができ、開封用摘み部を引張って容易に剥離することができ、スムーズに開封開始ができるものである。
【００２２】
また、請求項６記載の易開封性包装袋は、略への字状の隔壁熱接着部の屈曲部が端縁熱接着部側又は底部下端側に突出した少なくとも１つの烏口状のシール部を設けており、開封初期に必要な引張り力をより一層少なくすることができ、開封用摘み部を引張ってスムーズに開封開始ができるものである。
【００２３】
また、請求項７記載の易開封性包装袋は、開封用切れ目線の切れ目の後端と、次の切れ目の直線部の先端とが、開封方向に対して一致するか若しくは少なくとも重なって形成されているので開封用摘み部を引張って開封すると、開封用切れ目線から外れて開封不能になることを防ぐことができ、開封用切れ目線に沿って開封できる。
【００２４】
また、請求項８記載の易開封性包装袋は、ハーフカットからなる開封用切れ目線の開封用摘み部側の先端がＵ字状に形成されている構成とすることにより、開封用摘み部より開封したときに開封用摘み部の切れ目線の両端から基体が引裂かれ、その引裂き方向が開封用切れ目線に案内されたときに開封用切れ目線の先端から基体が裂けることを防止できる。また、請求項９記載の易開封性包装袋は、開封用切れ目線を形成する一番目の切れ目の直線部の先端がＵ字状に形成されている構成とすることにより、開封用摘み部より開封したときに開封用摘み部の切れ目線の両端から基体が引裂かれ、その引裂き方向が開封用切れ目線に案内されたときに開封用切れ目線の先端から基体が裂けることを防止できる。
【００２５】
また、請求項１０記載の易開封性包装袋は、開封用摘み部と対向する端縁熱接着部又は底部下端に形成された下端縁熱接着部より開封用摘み部を囲む突出シール部を設けることにより、開封用摘み部の切れ目線から端縁熱接着部と側端縁熱接着部と隔壁熱接着部と突出シール部とで囲まれた未シール領域、又は底部を形成する下端縁熱接着部と側端縁熱接着部と隔壁熱接着部と突出シール部とで囲まれた未シール領域への異物の進入を低減できる。また、請求項１１記載の易開封性包装袋は、端縁熱接着部と側端縁熱接着部と隔壁熱接着部と突出シール部とで囲まれた未シール領域、又は底部を形成する下端縁熱接着部と側端縁熱接着部と隔壁熱接着部と突出シール部とで囲まれた未シール領域にポイントシール部を設けた構成にすることにより開封用摘み部の切れ目線から未シール領域に異物が進入することをより一層低減できるものである。
【発明を実施するための最良の形態】
【００２６】
上記の本発明について、図面等を用いて以下に説明する。
図１は本発明にかかる易開封性包装袋の第一実施形態を示す平面図、図２は図１のＸ−Ｘ線断面図、図３は図１の円内の切れ目線及び切れ目を示す拡大図、図４は易開封性包装袋の開封途中の状態を示す斜視図、図５は本発明にかかる易開封性包装袋の第二実施形態を示す平面図、図６は図５のＹ−Ｙ線断面図、図７は本発明にかかる易開封性包装袋の第三実施形態を示す平面図、図８は本発明にかかる易開封性包装袋の第四実施形態を示す平面図であり、図中の符号１、２１、３１、４１は易開封性包装袋、２は基材層、３は中間層、４は内層、５は基体、６、２６は側端縁熱接着部、７、２７、３７は上端縁熱接着部、７’、２７’は下端縁熱接着部、８、２８、３８は隔壁熱接着部、９、２９、３９は屈曲部、９ａ、２９ａは直線部分、９ｂ、２９ｂは山型シール部、１０、３０、３１０は切れ目線、１１、３１は開封用摘み部、１２、３２、３１２、４１２は開封用切れ目線、１３は切れ目、１３ａは直線部、１３ｂは斜線部、１３ｈは切れ目の先端、１３ｔは切れ目の後端、１３１、１３１’は一番目の切れ目、１３２は二番目の切れ目、１３３は三番目の切れ目、１４は引裂き片、１５は開口部、２２は表側面シート、２３は裏側面シート、２４は底面シート、２５は底部、３９ｃは烏口状のシール部、３９ｄは湾曲状のシール部、１３１’ｈは一番目の切れ目の先端、３１２ｈは開封用切れ目線の先端、Ａは切欠き部、Ｐはポイントシール部、Ｒは未シール領域、Ｓは突出シール部をそれぞれ示す。
【００２７】
本発明の易開封性包装袋の第一実施形態は図１、図２に示すとおりである。本発明の易開封性包装袋１は、基材層２と、中間層３と、熱接着性樹脂からなる内層４とを備えた矩形状の基体５を内層４同士を対向させて、対向する一組の両端縁に側端縁熱接着部６と側端縁熱接着部６に直交して対向する他の一組の上下端縁熱接着部７、７’とで密封すると共に、上端縁熱接着部７側に対して側端縁熱接着部６、６を跨ぎ屈曲部を有する略への字状の隔壁熱接着部８が設けられ、側端縁熱接着部６及び隔壁熱接着部８で剥離可能に熱接着された四方シールタイプの易開封性包装袋である。隔壁熱接着部８の屈曲部９が上端縁熱接着部７に平行な所定長さの直線部分９ａを有し、屈曲部９の上端縁熱接着部７側領域に屈曲部９を囲み、一方の面を構成する基体５を貫通する切れ目線１０が形成されて開封用摘み部１１が設けられ、該開封用摘み部１１の切れ目線１０の両端から隔壁熱接着部８若しくはその外縁周辺の未シール部分に隔壁熱接着部８に沿って、一方の面を構成する基体５を貫通する開封用切れ目線１２が設けられている。切れ目線１０は、隔壁熱接着部８に設けることもできるが、開封性等から隔壁熱接着部８の外縁周辺の未シール部分に設けるほうが好ましい。また、切れ目線１０には、基体５を貫通しない非切れ目を部分的に設けて歯止めを形成することもできる。尚、図示はしていないが、例えば、煎餅やビスケット等の吸湿性に富んだ菓子等の内容物は側端縁熱接着部６と隔壁熱接着部８と下端縁熱接着部７’で囲まれた領域に収容されている。
【００２８】
隔壁熱接着部８の屈曲部９は、上端縁熱接着部７に平行な所定長さの直線部分９ａを有し、直線部分９ａに上端縁熱接着部７側に突出した１ケないしは複数の突出部を有する山型シール部９ｂが設けられている。このような構成にすることにより、開封用摘み部１１を摘み、易開封性包装袋１を開封する際に、開封初期に必要な引張り力を少なくすることができ、開封用摘み部１１を引張って容易に剥離することができ、スムーズに開封開始ができる効果を奏するものである。山型シール部９ｂの突出した突出部の数は屈曲部９の直線部分９ａの長さにより１ケないし複数設けることができ、該長さが長くなるほど突出部の数を多く設けるのが好ましい。なお、山型シール部９ｂを設けなくても開封できるが、設けたほうがスムーズな開封開始ができるので好ましい。また、屈曲部９に直線部分９ａを設けずに、例えば、山型、丸型、突起状等の形状でもよく、記載の形状に限定されるものではない。
【００２９】
次に、易開封性包装袋１を構成する基体５の積層構成について説明する。基体５の構成としては図２に示すように、収納される内容物に対して要求される化学的保護機能（ガスバリア性、透湿度等）や物理的保護機能（引張強度、衝撃強度等）により、基材層２／印刷層（図示しない）／中間層３／内層４又は基材層２／印刷層（図示しない）／内層４を基本構成として適宜設計することができる。基材層２にはナイロン、ポリエチレンテレフタレート、ポリプロピレン等の二軸延伸されたプラスチックフィルム並びにこれらのフィルムにポリビニルアルコール、塩化ビニリデン等のバリア材がコートされたフィルム及び酸化珪素、酸化アルミ等の無機物が蒸着されたフィルムが使用される。図示しないが、印刷層は、例えば基材層２の中間層３と対向した面にグラビア印刷され設けられる。また、基材層２を構成するフィルムの厚さは印刷適性、強度、剛性などについて必要最低限に保持され得る厚さであればよく、コスト等を勘案して決めればよいが、概ね１２〜４０μｍである。
【００３０】
中間層３にはエチレンビニルアルコール等のバリアフィルム、アルミ箔、アルミ等の金属が蒸着されたフィルム及び上記基材層２に使用されるフィルムが使用される。内層４には、ポリエチレン、エチレン・酢酸ビニル共重合体、アイオノマー、ポリプロピレンないしは易剥離性熱接着性樹脂（ＥＰＲ）等をフィルム又はエクストルージョンラミネーションして使用される。なお、ＥＰＲの易剥離性を付与する方法として表面に接着力の弱い薄層を設けた多層構成とする方法や、相溶性の少ない樹脂をブレンドするなどの構成により易剥離性を発現させる方法などの公知のものが適宜採用される。上記の各層はドライラミネーション法やエクストルージョンラミネーション法等の公知の技法により積層され積層材が構成される。例えば、基体５の具体的積層構成例として、以下のような構成が挙げられる。
（１）ＯＰＰ／ＤＬ／ＰＥＴ／ＤＬ／ＰＥＦ、ＥＶＡ又はアイオノマー
（２）ＰＥＴ／ＤＬ／ＥＰＲ
（３）ＰＥＴ／ＤＬ／ＯＮ／ＤＬ／ＰＥＦ
（４）ＯＰＰ／ＤＬ／ＰＥＦ又はＣＰＰ
（５）ＯＮ／ＤＬ／ＰＥＦ
尚、前記構成例の記載に用いた略記号は次の通りである。ＯＰＰ：二軸延伸ポリプロピレンフィルム、ＰＥＴ：二軸延伸ポリエステルフィルム、ＰＥＦ：ポリエチレンフィルム、ＥＶＡ：エチレン・酢酸ビニル共重合体、ＣＰＰ：未延伸ポリプロピレンフィルム、ＤＬ：ドライラミネート接着剤を示す。
【００３１】
図１、図３を用いて本発明の易開封性包装袋１の開封部分の構成について詳しく説明する。図３は図１の円内の拡大図であって、開封部分の構成を示す。基体５に設けられた開封用切れ目線１２は、間欠した切れ目１３からなり、該切れ目１３が、隔壁熱接着部８と平行方向に延びた直線部１３ａと、該直線部１３ａの開封用摘み部１１の方向に対して後端側より側端縁熱接着部６に向かい直線部１３ａに対して鈍角で斜めに延びた斜線部１３ｂとからなり、一番目の切れ目１３１の先端１３ｈが開封用摘み部１１の切れ目線１０の両端と連接して形成され、開封用摘み部１１より開封用切れ目線１２に沿って開封する構成となっている。開封用切れ目線１２の一番目の切れ目１３１の後端１３ｔと、二番目の切れ目１３２の直線部１３ａの先端１３ｈとが、開封方向に対して一致するか若しくは少なくとも重なって形成されていることが好ましい。そうすることにより、開封用摘み部１１を引張って基体５を開封すると、一番目の切り目１３１の後端１３ｔから基体５が引裂かれて、二番目の切れ目１３２に連結し、二番目の切れ目１３２により、引裂き方向が、次の三番目の切れ目１３３に案内され、順次、同様に繰り返され開封用切れ目線１２から外れて開封不能になることを防ぐことができ、開封用切れ目線１２に沿って開封できる。また、開封用摘み部１１の切れ目線１０及び開封用切れ目線１２は隔壁熱接着部８の外縁に設けられており、易開封性包装袋１の袋内は、隔壁熱接着部８と側端縁熱接着部６と下端縁熱接着部７’により密封されているのでバリア性、防湿性が確保され、袋内に収容される内容物の吸湿防止等が図れるものである。尚、一番目の切れ目１３１、二番目の切れ目１３２、三番目の切れ目１３３の符号は説明上、付したものであり、切れ目１３と形状、機能とも同一のものである。
【００３２】
次に、基体５の製造方法について説明する。まず最初に基材層２の中間層３に対向する面にグラビア印刷方式で印刷絵柄を裏刷する。その後、中間層３、内層４を順次、ドライラミネーション法又はエクストルージョンラミネーション法で積層し、基体の巻取が製造される。次に抜き工程で得られた基体の巻取を巻き戻しながら、印刷見当に合せて所定位置に切れ目線１０及び切れ目１３を基材層２、中間層３、内層４まで貫通するように例えば、ロータリーダイカッターを用いて形成され、開封用摘み部１１及び開封用切れ目線１２が設けられ、基体５が製造される。なお、印刷絵柄は中間層３の基材層２に対向する面又は内層４に対向する面に設けてもよい。
【００３３】
上記で製造された基体５を所定の幅に切断して巻取とした後に、内容物の充填機で内容物を充填密封して、易開封性包装袋１が製造される。また、上記の基体５の巻取を製袋機で四方シール袋に製袋した後に充填機で内容物を充填してもよい。また、充填機に例えば、ロータリーダイカッターを搭載して基体５を巻き戻しながら内容物の充填前に、基体５に開封用摘み部１１及び開封用切れ目線１２を設けることもできる。
【００３４】
次に、図４を用いて本発明の易開封性包装袋１の開封方法について説明する。易開封性包装袋１の基体５に設けられた開封用摘み部１１を一方の手指で摘み、他方の手指で上端縁熱接着部７の開封用摘み部１１の近傍を摘み、開封用摘み部１１を上に引張りながら下端縁熱接着部７’の方向に向かって開封すると切れ目線１０に連接した一番目の切れ目１３１の後端１３ｔから基体５が引裂かれ二番目の切れ目１３２に達すると二番目の切れ目１３２に沿って開封方向が案内され、順次、同じことが繰返され、開封用切れ目線１２に沿って、基体５が引裂かれて引裂き片１４が形成されると共に、開口部１５と内容物（図示しない）が現れる。開封用切れ目線１２が側端縁熱接着部６に達し、さらに引裂き片１４を引張ると側端縁熱接着部６に沿って、対向する内層４同士間で剥離して広い開口部１５が形成され、内容物を容易に取出すことが可能となる。なお、略への字状の隔壁熱接着部８（斜線部は剥離痕を示す）も、側端縁熱接着部６と同様に内層４同士間で剥離され、開封可能となる。このような構成とすることにより、広い開口部が形成でき、内容物が取り出しやすく、内容物が少なくなっても手の甲や掌を汚すことなく、内容物を取出すことができる。
【００３５】
図５は本発明にかかる易開封性包装袋の第二実施形態を示す平面図、図６は図５のＹ−Ｙ線断面である。本発明の易開封性包装袋２１は、基材層２と、中間層３と、熱接着性樹脂からなる内層４とを備えた表側面シート２２、裏側面シート２３及び底面シート２４からなり、該表側面シート２２及び裏側面シート２３の内層４面同士を対向させて配置し、該シートの下部の間に内層４面を外にして中央で山折りした底面シート２４を挿入して表裏側面シート２２、２３の内層４、４面とそれらに対向する山折りした底面シート２４の内層４面間の周縁を熱接着して底部２５を形成すると共に、表裏側面シート２２、２３の対向する一組の両端縁に側端縁熱接着部２６と底部２５に対向する端縁に上端縁熱接着部２７を備えた自立性の易開封性包装袋である。周縁を熱接着して形成された底部２５の周縁とは、下端部の下端縁熱接着部２７’と両端の側端縁熱接着部を指し、両側の側端縁熱接着部は側端縁熱接着部２６と共有されている。尚、中央で山折りした底面シート２４の両側下端近傍には、略半円形の底面シート２４の切欠き部Ａが設けられ、該切欠き部Ａでは表裏側面シート２２、２３の内層４面同士が直接熱接着されている。
【００３６】
底部２５の下端縁に設けられた下端縁熱接着部２７’側に対して側端縁熱接着部２６を跨ぎ剥離可能に熱接着された屈曲部を有する略への字状の隔壁熱接着部２８が設けられ、該隔壁熱接着部２８の屈曲部２９が底部２５の下端縁熱接着部２７’に平行な所定長さの直線部分２９ａを有し、屈曲部２９の底部２５の下端縁熱接着部２７’側領域に屈曲部２９を囲み、表裏側面シート２２、２３のいずれか一方又は両方に表裏側面シート２２、２３を貫通する切れ目線３０が形成されて開封用摘み部３１が設けられ、該開封用摘み部３１の切れ目線３０の両端から隔壁熱接着部２８若しくはその外縁周辺の未シール部分に隔壁熱接着部２８に沿って、表裏側面シート２２、２３のいずれか一方又は両方に表裏側面シート２２、２３を貫通する開封用切れ目線３２が設けられている。尚、図示はしていないが、例えば、煎餅やビスケット等の吸湿性に富んだ菓子等の内容物は側端縁熱接着部２６と隔壁熱接着部２８と上端縁熱接着部２７で囲まれた領域に収容されている。また、隔壁熱接着部２８の屈曲部２９には、下端縁熱接着部２７’側に突出した１ケないしは複数の突出部を有する山型シール部２９ｂが設けられている。このような構成にすることにより、開封用摘み部３１を摘み、易開封性包装袋２１を開封する際に、開封初期に必要な引張り力を少なくすることができ、開封用摘み部３１を引張って底部２５より容易に剥離することができ、スムーズに開封開始ができる効果を奏するものである。
【００３７】
本発明の易開封性包装袋２１を構成する表裏側面シート２２、２３及び底面シート２４の積層構成と、開封部分の構成は、第一実施形態と同様であり、説明を省略する。
【００３８】
次に、易開封性包装袋２１の製造方法について説明する。表裏側面シート２２，２３及び底面シート２４は、基材層２の中間層３に対向する面にグラビア印刷方式で印刷絵柄を裏刷する。その後、中間層３、内層４を順次、ドライラミネーション法又はエクストルージョンラミネーション法で積層し、巻取が製造される。尚、底面シート２４には通常、印刷されないが、顧客の要望により設けることができる。次に公知のスタンディングパウチ用の製袋機で表裏側面シート２２、２３の巻取を巻き戻しながら、印刷見当に合せて所定位置に切れ目線３０及び切れ目１３を基材層２、中間層３、内層４まで貫通するように例えば、ロータリーダイカッターを用いて形成され、開封用摘み部３１及び開封用切れ目線３２が設けられ、その後、表側面シート２２及び裏側面シート２３の内層４面同士を対向させて配置し、該表裏側面シート２２、２３の下部の間に内層４面を外にして中央で山折りした底面シート２４の所定位置に略半円形の切欠き部を設けて挿入して表裏側面シート２２、２３の内層４、４面とそれらに対向する山折りした底面シート２４の内層４面間の周縁を熱接着して底部２５を形成すると共に、表裏側面シート２２、２３の対向する一組の両端縁を熱接着して側端縁熱接着部２６を設けると共に、切欠き部では表裏側面シート２２、２３の内層４面同士が直接熱接着されおり、上端縁熱接着部２７が未接着の自立性の易開封性包装袋が製袋される。その後、内容物の充填機で上部より内容物を充填し、上端縁熱接着部２７を熱接着して密封することにより易開封性包装袋２１が製造される。
【００３９】
また、充填機に例えば、ロータリーダイカッターを搭載して表裏側面シート２２、２３を巻き戻しながら表裏側面シート２２，２３のいずれか一方又は両方に開封用摘み部１１及び開封用切れ目線１２を設け、その後、内容物を充填することもできる。
【００４０】
また、開封用摘み部１１及び開封用切れ目線１２は、表裏側面シート２２、２３のいずれか一方又は両方に設けることができるが、両方に設けたほうが、易開封性包装袋２１の開封面を選択する必要がなく利便性が向上するので好ましい。尚、開封方法は第一実施形態と同様であり、説明を省略する。
【００４１】
図７は本発明にかかる易開封性包装袋の第三実施形態を示す平面図である。図７に示すように易開封性包装袋３１は、隔壁熱接着部の屈曲部と、開封用切れ目線と、開封用摘み部を形成する切れ目線と、開封用摘み部を含む端縁熱接着部と二辺の側端縁熱接着部と隔壁熱接着部で囲まれた領域とが、第一実施形態の構成と異なり、その他は同じである。略への字状の隔壁熱接着部３８の屈曲部３９は、対向する端縁熱接着部３７側に突出した２つの烏口状のシール部３９ｃが設けられ、烏口状のシール部３９ｃ間には端縁熱接着部３７側に凹状に湾曲した湾曲状のシール部３９ｄを備えた構成となっている。このような構成にすることにより開封初期に必要な引張り力をより一層少なくすることができ、開封用摘み部１１を引張ってスムーズに開封開始ができる。烏口状のシール部３９ｃは少なくとも１つ設けられていればよく、開封用摘み部の大きさにより任意に設定すればよい。湾曲状のシール部３９ｄは、直線状でもよいが、湾曲状のほうが開封時の剥離強度が急激に大きくなることがなく、スムーズに開封でき好ましい。
【００４２】
また、開封用切れ目線３１２は基体５を貫通しないハーフカットからなり、開封用摘み部１１の切れ目線３１０の両端の近傍から隔壁熱接着部３８若しくはその外縁周辺の未シール部分に隔壁熱接着部３８に沿って、基体５に設けられている。さらにハーフカットからなる開封用切れ目線３１２の開封用摘み部１１側の先端３１２ｈがＵ字状に形成されている。開封用摘み部１１側の先端３１２ｈがＵ字状に形成されることにより、開封用摘み部１１より開封したときに開封用摘み部１１の切れ目線３１０の両端から基体５が引裂かれ、その引裂き方向が開封用切れ目線３１２に案内されたときに開封用切れ目線３１２の先端３１２ｈから基体５が裂けて開封用切れ目線３１２から逸れることを防止できる。
【００４３】
また、開封用摘み部１１と対向する端縁熱接着部３７より開封用摘み部１１側に該開封用摘み部１１を囲む突出シール部Ｓ、Ｓが設けられている。さらに、端縁熱接着部３７と側端縁熱接着部６、６と隔壁熱接着部３８と突出シール部Ｓとで囲まれた未シール領域Ｒに略長方形状のポイントシール部Ｐを設けた。このように突出シール部Ｓ、Ｓを設けることにより、開封用摘み部１１の切れ目線３１０から未シール領域Ｒへの異物の進入を低減することができ、さらに、未シール領域Ｒにポイントシール部Ｐを設ける構成にすることにより開封用摘み部１１の切れ目線３１０から未シール領域Ｒに異物が進入することをより一層低減できる。第三実施形態では、ポイントシール部Ｐを未シール領域Ｒ、Ｒにそれぞれ２ケずつ設け、かつ、両側端縁の側端縁熱接着部６、６側のポイントシール部Ｐを上端縁熱接着部３７と対向する位置の下端縁熱接着部７’の方向に長くして設けた。なお、ポイントシール部Ｐの数、大きさ及び形状等は第三実施形態に限定されるものではなく、未シール領域Ｒの大きさ、形状により任意に設定すればよい。
【００４４】
図８は本発明にかかる易開封性包装袋の第四実施形態を示す平面図である。図８に示すように易開封性包装袋４１は、隔壁熱接着部の屈曲部と、開封用切れ目線と、開封用摘み部を形成する切れ目線と、開封用摘み部を含む端縁熱接着部と二辺の側端縁熱接着部と隔壁熱接着部で囲まれた領域とが、第一実施形態の構成と異なり、その他は同じである。また、易開封性包装袋４１は、第三実施形態とは開封用切れ目線４１２の構成が異なり、その他は同じである。易開封性包装袋４１の開封用切れ目線４１２は、開封用摘み部１１の切れ目線３１０の両端の近傍から隔壁熱接着部３８若しくはその外縁周辺の未シール部分に隔壁熱接着部３８に沿って、基体５に設けられている。開封用切れ目線４１２は第一実施形態の開封用切れ目線１２と同様に直線部１３ａと斜線部１３ｂを備えた間欠した切れ目１３からなり、一番目の切れ目１３１の構成が異なる以外は同じであり、異なる部分について説明する。一番目の切れ目１３１’の直線部の先端１３１’ｈがＵ字状に形成されている。このような構成にすることにより、開封用摘み部１１より開封したときに開封用摘み部１１の切れ目線３１０の両端から基体５が引裂かれ、その引裂き方向が開封用切れ目線４１２に案内されたときに一番目の切れ目１３１’の直線部の先端１３１’ｈから基体５が裂けて開封用切れ目線４１２から逸れることを防止できる。
【００４５】
次に、本発明について、以下に実施例を挙げてさらに詳しく説明する。
【実施例１】
【００４６】
厚さ１２μｍの二軸延伸ポリエチレンテレフタレートフィルム（ＰＥＴ）にグラビア印刷法によりポリウレタン系インキで所定の印刷を行い、印刷面に、ポリエステルポリオール−イソシアネート系接着剤を介して厚さ１５μｍの二軸延伸ナイロンフィルム（ＯＮ）をドライラミネーション法で積層し、さらにＯＮ面に前記接着剤を介して厚さ３０μｍの片面コロナ処理されたＥＰＲフィルム（東セロ化学株式会社製、ＣＭＰＳ０１３Ｃ）のコロナ処理面とをドライラミネーション法で積層し、４０℃、２日間養生して基体５の巻取を作製した。
【００４７】
上記の基体５の巻取を切刃を設置した抜き型と面板とを搭載した製袋機で製袋して側端縁熱接着部６が７ｍｍ幅、上端縁熱接着部７が７ｍｍ幅、上端縁熱接着部７側に２．５ｍｍ突出した５ケの突出部を設けた山型シール部９ｂと３０ｍｍの長さの直線部分９ａを有する屈曲部９を略中央部に備えた隔壁熱接着部８が７ｍｍ幅からなり、１７０ｍｍ×１３５ｍｍの外寸からなる下端縁熱接着部７’が形成されていない四方シールタイプの易開封性包装袋１を作製した。また、四方シールタイプの易開封包装袋の屈曲部９を囲む略コの字状に長さ３０ｍｍ×幅１０ｍｍの切れ目線１０を形成し開封用摘み部１１を設けて、直線部５ｍｍ、斜線部２．５ｍｍ、直線部と斜線部で形成する角度１３５°の切り目を切り目の後端と次の切り目の先端が開封方向に対して一致する位置に形成した開封用切れ目線１２を設けた。
【実施例２】
【００４８】
厚さ２０μｍの片面コロナ処理された二軸延伸ポリプロピレンフィルム（ＯＰＰ）のコロナ処理面にグラビア印刷法によりポリウレタン系インキで所定の印刷を行い、印刷面に、ポリエステルポリオール−イソシアネート系接着剤を介して厚さ１２μｍの片面アルミ蒸着された二軸延伸ポリエチレンテレフタレートフィルム（ＰＥＴ）のアルミ蒸着面とドライラミネーション法で積層し、さらにＰＥＴ面に前記接着剤を介して厚さ３０μｍの片面コロナ処理されたＥＰＲフィルム（東セロ化学株式会社製、ＣＭＰＳ０１３Ｃ）のコロナ処理面とをドライラミネーション法で積層し、４０℃、２日間養生して表裏側面シートに使用する巻取を作製した。
【００４９】
厚さ２０μｍの片面コロナ処理された二軸延伸ポリプロピレンフィルム（ＯＰＰ）のコロナ処理面に、ポリエステルポリオール−イソシアネート系接着剤を介して厚さ１２μｍの二軸延伸ポリエチレンテレフタレートフィルム（ＰＥＴ）をドライラミネーション法で積層し、さらにＰＥＴ面に前記接着剤を介して厚さ３０μｍの片面コロナ処理されたＥＰＲフィルム（東セロ化学株式会社製、ＣＭＰＳ０１３Ｃ）のコロナ処理面とをドライラミネーション法で積層し、４０℃、２日間養生して底面シートに使用する巻取を作製した。
【００５０】
上記の巻取を用いて、上下、左右寸法１７０ｍｍ×１３５ｍｍ、底部折込寸法３３ｍｍとし、側端縁熱接着部２６及び、下端縁熱接着部２７’のシール幅７ｍｍ、屈曲部２９の直線部分２９ａの長さ３０ｍｍとして底部下端より７ｍｍの位置から底面シート２４の山折り部と側端縁熱接着部２６との交点に跨る屈曲部を有する略への字状の隔壁熱接着部２８をシール幅７ｍｍとして自立性の易開封包装袋を製袋し、自立性の易開封包装袋の底部２５の下端から１０ｍｍの位置に開封用摘み部の切れ目線を形成し、長さ４０ｍｍ×７ｍｍの開封用摘み部を設けて、直線部５ｍｍ、斜線部２．５ｍｍ、直線部と斜線部で形成する角度１３５°の切り目を切り目の後端と次の切り目の先端が開封方向に対して一致する位置に形成し、開封用切れ目線を設けて易開封性包装袋２１を作製した。なお、屈曲部２９の山型シール部２９ｂは、下端縁熱接着部２７’側に２．５ｍｍ突出した５ケの突出部を有するものとした。
【実施例３】
【００５１】
実施例１の基体５の巻取を用いて、切刃を設置した抜き型と面板とを搭載した製袋機で製袋して実施例１と同じサイズの四方シールタイプの易開封性包装袋３１を作製した。ただし、略への字状の隔壁熱接着部３８の屈曲部３９に端縁熱接着部３７側に３．５ｍｍ突出させて２ケの烏口状のシール部３９ｃを設け、その間の距離を２０ｍｍとして湾曲状のシール部３９ｄを形成し、ポイントシール部Ｐはそれぞれの未シール領域Ｒ、Ｒに各２ケずつ設け、開封用摘み部の切れ目線の両端近傍のハーフカットからなる開封用切れ目線の先端をＵ字状に形成した。なお、ハーフカットからなる開封用切れ目線はＥＰＲフィルム面からＥＰＲフィルムとＯＮフィルムを貫通しＰＥＴフィルムに達するように基体５に設けた。また、屈曲部３９を囲む略コの字状の切れ目線３１０を形成し開封用摘み部１１を設けた。
【実施例４】
【００５２】
実施例１の蓋材を用いて、実施例１と同じ開封用摘み部と開封用切れ目線を設けて蓋体を作製した。但し、その後、実施例１の容器本体を用いて実施例１と同様に開封用摘み部の切れ目線を設けて、第一熱接着部、第二熱接着部で蓋体と容器本体とを剥離可能に熱接着して柔軟性のあるソフトタイプの易開封性包装袋４１を作製した。なお、烏口状のシール部３９ｃおよびポイントシール部Ｐは実施例３と同じ構成とした。
実施例１の基体５の巻取を用いて、切刃を設置した抜き型と面板とを搭載した製袋機で製袋して実施例１と同じサイズの四方シールタイプの易開封性包装袋４１を作製した。なお、開封用切れ目線の構成と寸法は実施例１と同じとし、一番目の切れ目１３１’の直線部の先端１３１’ｈをＵ字状に形成した。開封用摘み部の切れ目線、屈曲部の烏口状のシール部及び湾曲状のシール部、ポイントシール部は実施例３と同じ構成と寸法とした。
【００５３】
上記で作製した実施例１〜４の易開封性包装袋にポテトチップ５０ｇを充填し、下端縁熱接着部７’及び上端縁熱接着部２７で密封した。
【００５４】
その後、開封用摘み部より、それぞれの易開封性包装袋を開封したところ、実施例１、３、４の四方シールタイプの易開封性包装袋は、開封用切れ目線に沿って、隔壁熱接着部及び側端縁熱接着部で剥離され、開封することができ、内容物を取出せた。実施例３の易開封性包装袋は、開封後の開封用切れ目線は美麗であった。実施例２の自立性の易開封性包装袋は、開封用切れ目線に沿って、隔壁熱接着部で表側面シートと底面シートとが剥離され、さらに側端縁熱接着部で表側面シートと裏側面シートとが剥離され、開封することができ、内容物を取出せた。実施例１〜４とも広い開口部が形成されており、内容物が少なくなっても、手指を汚すことなく簡単に内容物を取出すことができた。
【図面の簡単な説明】
【００５５】
【図１】本発明にかかる易開封性包装袋の第一実施形態を示す平面図である。
【図２】図１のＸ−Ｘ線断面図である。
【図３】図１の円内の切れ目線及び切れ目を示す拡大図である。
【図４】易開封性包装袋の開封途中の状態を示す斜視図である。
【図５】本発明にかかる易開封性包装袋の第二実施形態を示す平面図である。
【図６】図５のＹ−Ｙ線断面図である。
【図７】本発明にかかる易開封性包装袋の第三実施形態を示す平面図である。
【図８】本発明にかかる易開封性包装袋の第四実施形態を示す平面図である。
【符号の説明】
【００５６】
１、２１、３１、４１                    易開封性包装袋
２                                      基材層
３                                      中間層
４                                      内層
５                                      基体
６、２６                                側端縁熱接着部
７、２７、３７                          上端縁熱接着部
７’、２７’                            下端縁熱接着部
８、２８、３８                          隔壁熱接着部
９、２９、３９                          屈曲部
９ａ、２９ａ                            直線部分
９ｂ、２９ｂ                            山型シール部
１０、３０、３１０                      切れ目線
１１、３１                              開封用摘み部
１２、３２、３１２、４１２              開封用切れ目線
１３                                    切れ目
１３ａ                                  直線部
１３ｂ                                  斜線部
１３ｈ                                  切れ目の先端
１３ｔ                                  切れ目の後端
１３１、１３１’                        一番目の切れ目
１３２                                  二番目の切れ目
１３３                                  三番目の切れ目
１４                                    引裂き片
１５                                    開口部
２２                                    表側面シート
２３                                    裏側面シート
２４                                    底面シート
２５                                    底部
３９ｃ                                  烏口状のシール部
３９ｄ                                  湾曲状のシール部
１３１’ｈ                              一番目の切れ目の先端
３１２ｈ                                開封用切れ目線の先端
Ａ                                      切欠き部
Ｐ                                      ポイントシール部
Ｒ                                      未シール領域
Ｓ                                      突出シール部
【図１】
2008150111.tif 000003
【図２】
2008150111.tif 000004
【図３】
2008150111.tif 000005
【図４】
2008150111.tif 000006
【図５】
2008150111.tif 000007
【図６】
2008150111.tif 000008
【図７】
2008150111.tif 000009
【図８】
2008150111.tif 000010
【手続補正書】
【提出日】平成19年7月30日(2007.7.30)
【手続補正１】
【補正対象書類名】明細書
【補正対象項目名】００５２
【補正方法】変更
【補正の内容】
【００５２】
実施例１の基体５の巻取を用いて、切刃を設置した抜き型と面板とを搭載した製袋機で製袋して実施例１と同じサイズの四方シールタイプの易開封性包装袋４１を作製した。なお、開封用切れ目線の構成と寸法は実施例１と同じとし、一番目の切れ目１３１’の直線部の先端１３１’ｈをＵ字状に形成した。開封用摘み部の切れ目線、屈曲部の烏口状のシール部及び湾曲状のシール部、ポイントシール部は実施例３と同じ構成と寸法とした。